(57)【特許請求の範囲】
【請求項１】
抵抗膜方式のタッチパネルを備えた操作装置であって、
人感センサーを用いて、自装置の近傍に人が存在するか否かを検知する人感検知手段と、
前記自装置の近傍に人が存在すると検知された場合に、前記タッチパネルの端部に予め設けられた圧電素子を振動させて、当該振動が伝わるタッチパネルの所定点を擬似的なタッチ点とする振動手段と、
前記擬似的なタッチ点に対応する位置測定値を、予め設定された当該タッチ点に対応する位置基準値になるように位置ズレを調整する位置ズレ調整手段と
を備えることを特徴とする操作装置。
【請求項２】
前記人感センサーは、省電力制御用の焦電型赤外線センサーである
請求項１に記載の操作装置。
【請求項３】
前記振動手段は、前記圧電素子の振動が伝わる領域で、かつ、当該圧電素子に最も近い領域のタッチパネルの所定点を擬似的なタッチ点とし、
前記位置ズレ調整手段は、前記圧電素子に最も近い領域のタッチ点に対応する位置測定値と、当該タッチ点に対応する位置基準点とに基づいて位置ズレを調整する
請求項１又は２に記載の操作装置。
【請求項４】
抵抗膜方式のタッチパネルを備えた操作装置の位置ズレ調製方法であって、
人感センサーを用いて、自装置の近傍に人が存在するか否かを検知するステップと、
前記自装置の近傍に人が存在すると検知された場合に、前記タッチパネルの端部に予め設けられた圧電素子を振動させて、当該振動が伝わるタッチパネルの所定点を擬似的なタッチ点とするステップと、
前記擬似的なタッチ点に対応する位置測定値を、予め設定された当該タッチ点に対応する位置基準値になるように位置ズレを調整するステップと
を備えることを特徴とする位置ズレ調製方法。
【発明の詳細な説明】
【技術分野】
【０００１】
本発明は、操作装置及び位置ズレ調製方法に関し、詳しくは、ユーザーがタッチパネルを使用する際に自動的に位置ズレ調整を行わせることが可能な操作装置及び位置ズレ調製方法に関する。
【背景技術】
【０００２】
自動原稿給送機能、ファクシミリ送受信機能、スキャン機能、プリンタ機能等の多用途の機能を備えている画像形成装置、例えば、電子複写機では、どの機能の使用時でも操作パネルの操作が行なわれている。そのため、操作パネルの使用頻度が高いという現状がある。
【０００３】
ここで、画像形成装置の操作部に搭載される操作パネルは、つまり、タッチパネルは、通常、静電容量方式と抵抗膜方式との２種類に大別される。特に、抵抗膜方式の搭載の歴史は長く、これまで数多くの画像形成装置に用いられてきている。
【０００４】
この抵抗膜方式の特徴として、例えば、ハードウェアが安価である、タッチパネルの機能を実現するためのアルゴリズムが複雑でない、入力インターフェースや制御回路に高性能のＩＣ（集積回路）や部品を用いる必要が無い、消費電力が少ない等を挙げることが出来る。
【０００５】
この抵抗膜方式のタッチパネルの構成は、先ず、最上層に位置する柔軟性を備えたフィルムと、透明なガラス等を用いた基板とを備え、フィルムの裏面と基板の表面には、一般的に、ＩＴＯ（酸化インジウムスズ）を用いた透明導電膜がコーティングされて設けられている。又、フィルムと基板との間には、絶縁体スペーサである「ドット」が面方向に対して一定の間隔で配置されており、これにより、フィルムと基板の間に空隙が設けられる。そして、ユーザーが指やスタイライスでタッチパネルの上面からフィルムを押すと、その接触点においてフィルムと基板の内側の透明導電膜が接触してショートし、押下された（タッチされた）位置を特定することが出来る。
【０００６】
しかしながら、抵抗膜方式のタッチパネルでは、本質的にＥＭＩ（電磁干渉）と湿度との影響を受け易く、温度変化・経時変化によるアナログのセンサー出力値が変化してしまうという問題がある。そのため、この問題を解決するために、従来より、環境変化に対応して、無入力状態でのキャリブレーションを実施して、無入力時の基準位置（原点）の位置ズレを補正するように構成されている。
【０００７】
例えば、特開２０１２−１１８８５０号公報（特許文献１）には、ユーザーの操作に基づき位置または指示量を検出する第１の入力装置と、前記第１の入力装置への接近物の存在を検出する第２の入力装置とを備えた端末装置が開示されている。この装置では、前記第１の入力装置の自動キャリブレーションを実行するとともに、前記自動キャリブレーション中に、前記第２の入力装置にて前記第１の入力装置への接近物の存在が検出された場合、前記第１の入力装置の自動キャリブレーションを中止する制御部と、を備えたことを特徴とする。これにより、自動キャリブレーション中にユーザーが操作してしまうことによる自動キャリブレーションの失敗を防ぐことが可能となるとしている。
【０００８】
一方、タッチパネルに振動（バイブレーション）を活用した技術として、例えば、特開２００３−３３０６１８号公報（特許公報２）には、生体又は物体の接近と接触とを、所定の検出範囲内で検出する検出ステップと、上記検出ステップでの接近の検出に応じて、一時的に振動させる振動ステップと、上記検出ステップでの所定状態での接触の検出に応じて、所定の入力処理を行う入力ステップとを有する入力方法が開示されている。これにより、パネル上を触れる直前に、その位置に触れたときに入力ができることが一時的な振動から判るようになり、タッチパネルの確実な操作が可能になるとしている。
【先行技術文献】
【特許文献】
【０００９】
【特許文献１】特開２０１２−１１８８５０号公報
【特許文献２】特開２００３−３３０６１８号公報
【発明の概要】
【発明が解決しようとする課題】
【００１０】
しかしながら、特許文献１に記載の技術では、自動キャリブレーションを行うタイミングの種類に応じて、ユーザーが利用する際に、再度、位置ズレが発生する可能性があり、必ずしもユーザーのタッチパネルの使用時に当該タッチパネルが位置ズレを生じない状態に保持することが出来ないという問題がある。
【００１１】
又、特許文献２に記載の技術では、ユーザーの使用時が制御のタイミングとなっているため、使用前にキャリブレーションすることはないという問題がある。
【００１２】
そこで、本発明は、前記問題を解決するためになされたものであり、ユーザーがタッチパネルを使用する際に自動的に位置ズレ調整を行わせることが可能な操作装置及び位置ズレ調製方法を提供することを目的とする。
【課題を解決するための手段】
【００１３】
上述した課題を解決し、目的を達成するために、本発明に係る操作装置は、抵抗膜方式のタッチパネルを備えた操作装置であって、以下の構成を採用する。
【００１４】
即ち、本発明は、人感センサーを用いて、自装置の近傍に人が存在するか否かを検知する人感検知手段と、前記自装置の近傍に人が存在すると検知された場合に、前記タッチパネルの端部に予め設けられた圧電素子を振動させて、当該振動が伝わるタッチパネルの所定点を擬似的なタッチ点とする振動手段と、前記擬似的なタッチ点に対応する位置測定値を、予め設定された当該タッチ点に対応する位置基準値になるように位置ズレを調整する位置ズレ調整手段とを備えることを特徴とする。
【００１５】
又、前記人感センサーは、省電力制御用の焦電型赤外線センサーである。
【００１６】
又、前記振動手段は、前記圧電素子の振動が伝わる領域で、かつ、当該圧電素子に最も近い領域のタッチパネルの所定点を擬似的なタッチ点とし、前記位置ズレ調整手段は、前記圧電素子に最も近い領域のタッチ点に対応する位置測定値と、当該タッチ点に対応する位置基準点とに基づいて位置ズレを調整する。
【００１７】
尚、本発明は、抵抗膜方式のタッチパネルを備えた操作装置の位置ズレ調製方法として提供することが出来る。
【００１８】
即ち、本発明は、人感センサーを用いて、自装置の近傍に人が存在するか否かを検知するステップと、前記自装置の近傍に人が存在すると検知された場合に、前記タッチパネルの端部に予め設けられた圧電素子を振動させて、当該振動が伝わるタッチパネルの所定点を擬似的なタッチ点とするステップと、前記擬似的なタッチ点に対応する位置測定値を、予め設定された当該タッチ点に対応する位置基準値になるように位置ズレを調整するステップとを備えることを特徴とする。このような構成であっても、上述と同様の効果を得ることが可能となる。
【００１９】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２０】
本発明の操作装置及び位置ズレ調製方法によれば、ユーザーがタッチパネルを使用する際に自動的に位置ズレ調整を行わせることが可能となる。
【図面の簡単な説明】
【００２１】
【図１】本発明の実施形態に係る操作部を備える画像形成装置の概念図である。
【図２】本発明の実施形態に係る操作部の全体構成を示す概念図である。
【図３】本発明に係る複合機の制御系ハードウェアの構成を示す図である。
【図４】本発明の実施形態における複合機の機能ブロック図である。
【図５】本発明の実施形態の実行手順を示すためのフローチャートである。
【図６】本発明の実施形態に係るタッチパネルの構成を示す概念図（図６（Ａ））と、本発明の実施形態に係るタッチパネルの位置ズレ調整の一例を示す図（図６（Ｂ））とである。
【発明を実施するための形態】
【００２２】
以下に、添付図面を参照して、本発明の操作装置（操作部）を備える画像形成装置及び位置ズレ調製方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２３】
＜操作部を備える画像形成装置＞
図１は、本発明の実施形態に係る操作部を備える画像形成装置の概念図である。但し、本発明に直接には関係しない各部の詳細は省略している。
【００２４】
尚、本発明の操作部を備える画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。
【００２５】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２６】
先ず、ユーザーが複合機１００を利用する場合、原稿を筐体部の上面に備えられている原稿台１０１に載置する。続いて、ユーザーは、前記原稿台１０１近傍に備えられている操作部１０２（操作パネル）を使用して、画像形成に関する設定条件の入力を当該操作部１０２の操作画面から入力する。そして、ユーザーが、前記操作部１０２に設けられたスタートキーを押下すると、複合機１００が画像形成（印刷処理）を開始する。
【００２７】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００２８】
さて、前記画像データに基づいてトナー像を形成する部分が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００２９】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３０】
前記用紙は、複合機１００に備えられた複数の給紙カセット１１６から搬送される。搬送される時は、前記用紙は、ピックアップローラ１１７により何れか１つの給紙カセット１１６から搬送路へ引き出される。各給紙カセット１１６には、それぞれ異なる紙種の用紙が収容されており、画像形成に関する設定条件に基づいて用紙が給紙される。
【００３１】
搬送路に引き出された用紙は、搬送ローラ１１８やレジストローラ１１９により感光体ドラム１１０と転写器１１４の間に送り込まれる。送り込まれると、前記用紙は前記転写器１１４により前記トナー像が転写され、定着装置１２０に搬送される。
【００３２】
前記トナー像が転写された用紙が、前記定着装置１２０に備えられた加熱ローラと加圧ローラの間を通過すると、前記トナー像に熱と圧力が印加されて、可視像が用紙に定着される。前記加熱ローラの熱量は、紙種に応じて最適に設定され、前記定着が適切に行われる。前記可視像が用紙に定着されて画像形成が終了し、当該用紙は搬送ローラ１１８により、経路切替部１２１へ導かれる。
【００３３】
前記経路切替部１２１では、前記複合機１００による切り替え指示により、前記用紙を、前記筐体部の側面に設けられた排紙トレイ１２２へ案内したり、排紙口１２３を介して、前記筐体部の胴内に設けられた胴内トレイ１２４へ案内したりする。前記用紙は、前記排紙トレイ１２２か胴内トレイ１２４に積載され、収容される。前記手順により、複合機１００はコピー機能をユーザーに提供する。
【００３４】
次に、図２は、本発明の実施形態に係る操作部の全体構成を示す概念図である。ユーザーは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３５】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００３６】
前記タッチパネル２０１の背面には、ＬＣＤ（Ｌｉｑｕｉｄ  Ｃｒｙｓｔａｌ  Ｄｉｓｐｌａｙ）等の表示部が設けられており、当該表示部が、例えば、前記初期画面等の操作画面を表示する。前記タッチパネル２０１の近傍には、タッチペン２０２が備えられており、ユーザーがそのタッチペン２０２の先をタッチパネル２０１に接触させると、タッチパネル２０１下に設けられたセンサーが接触先を検知する。
【００３７】
又、前記タッチパネル２０１は抵抗膜方式のタッチパネルであり、当該タッチパネル２０１の背面の端部には、圧電素子が内蔵されており、タッチパネル２０１へのユーザーのタッチに対応して圧電素子が適宜振動するよう構成されている（後述する）。
【００３８】
更に、前記タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００３９】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００４０】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、操作部１０２を内部バス３０６によって接続している。
【００４１】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と前記操作部１０２からのデータや指示、キーに対応する信号、命令等を授受し、図１に示した各駆動部の動作を制御する。尚、操作部１０２の制御回路も、複合機１００の制御回路と同等であるため、その表示、説明を省略する。
【００４２】
又、前記駆動部以外の後述する各手段（図４に示す）についても、複合機１００、操作部１０２のＣＰＵがプログラムを実行することで当該各手段を実現する。ＲＯＭ、ＨＤＤ等には、以下に説明する各手段を実現するプログラムやデータが記憶されている。
【００４３】
＜本発明の実施形態＞
次に、図４、図５を参照しながら、本発明の実施形態に係る構成及び実行手順について説明する。図４は、本発明の実施形態における複合機の機能ブロック図である。又、図５は、本発明の実施形態の実行手順を示すためのフローチャートである。
【００４４】
先ず、起動している複合機１００が所定時間経過後にスリープ状態へ移行すると、当該複合機１００の操作部１０２の人感検知手段４０１が、当該操作部１０２の人感センサーを用いて、当該操作部１０２の近傍に人が存在するか否かを検知する（図５：Ｓ１０１）。
【００４５】
人感検知手段４０１が人の存在を検知する方法は、どのような方法でも構わないが、例えば、以下のようになされる。即ち、図６（Ａ）に示すように、操作部１０２の抵抗膜方式のタッチパネル２０１の近傍に、当該タッチパネル２０１の正面（前面）に検知領域を有する人感センサー６００を予め設けて、人感検知手段４０１が、当該人感センサー６００を起動して、当該人感センサー６００の検知領域に人が来たか否かを検知する。ここで、人感センサー６００は、人の存在を検知できるセンサーであれば、どのようなセンサーでも良く、例えば、検知領域が広い焦電型赤外線センサーを採用することが出来る。又、人感センサーは、操作部１０２がスリープ状態であっても利用可能な省電力制御用の人感センサーであると、更に好ましい。
【００４６】
ここで、前記操作部１０２の近傍に人が存在しない場合、人感検知手段４０１は、特に検知の停止を外部から要求されない限り、再度、操作部１０２の近傍に人が存在するか否かの検知を繰り返す（図５：Ｓ１０１ＮＯ→Ｓ１０１）。
【００４７】
さて、ユーザーが複合機１００を利用するために、操作部１０２へ近づくと、人感検知手段４０１が、当該操作部１０２の近傍に人が存在すると検知し（図５：Ｓ１０１ＹＥＳ）、その旨を振動手段４０２に通知する。当該通知を受けた振動手段４０２は、図６（Ａ）に示すように、前記タッチパネル２０１の端部に予め設けられた圧電素子６０１を振動させて、当該振動が伝わるタッチパネル２０１の所定点を擬似的なタッチ点とする（図５：Ｓ１０２）。
【００４８】
ここで、振動手段４０２が所定点を擬似的なタッチ点とする方法は、どのような方法でも構わないが、例えば、以下のようになされる。即ち、図６（Ａ）に示すように、タッチパネル２０１の背面の側端部に圧電素子６０１を設けて、振動させると、当該圧電素子６０１の振動特性（周波数、振幅）とタッチパネル２０１の振動特性（固有振動周波数等）により、当該圧電素子６０１の振動が伝わる領域で、かつ、当該圧電素子６０１に最も近い領域に、タッチパネル２０１が押下されたような所定点６０２が１点又は複数点（例えば、２点）生じる。これを圧電素子６０１の振動によるタッチパネル２０１の擬似的なタッチ点６０２とする。
【００４９】
このように、圧電素子６０１の振動によりタッチパネル２０１の擬似的なタッチ点６０２を生じさせることで、位置ズレ調整の際に自動落下物体等の機械的な機構を設ける必要が無く、不快音の発背も防止することが可能である。
【００５０】
又、圧電素子６０１の設置位置は、操作部１０２の内部であり、タッチパネル２０１の端部であるため、当該圧電素子６０１をユーザーの目に触れないように隠して設置することが可能となる。
【００５１】
さて、振動手段４０２が圧電素子６０１を振動させると、その旨を位置ズレ調整手段４０３に通知する。当該通知を受けた位置ズレ調整手段４０３は、前記擬似的なタッチ点に対応する位置測定値を、予め設定された当該タッチ点に対応する位置基準値になるように位置ズレを調整する（図５：Ｓ１０３→Ｓ１０４）。
【００５２】
ここで、位置ズレ調整手段４０３が位置ズレを調整する方法は、どのような方法でも構わないが、例えば、以下のようになされる。即ち、振動手段４０２が圧電素子６０１を振動させることで、タッチパネル２０１には、擬似的なタッチ点６０２が生じるため、位置ズレ調整手段４０３は、当該タッチ点６０２に対応する位置測定点を測定する。タッチパネル２０１は抵抗膜方式であることから、所定のタッチ点６０２の位置測定値は、横方向（左右方向）における電圧値と、縦方向（上下方向）における電圧値とで構成され、図６（Ａ）に示すように、圧電素子６０１に近接した左側のタッチ点６０２ａの位置測定値は、横方向における電圧値（例えば、Ｘ１１（Ｖ））と、縦方向における電圧値（例えば、Ｙ１（Ｖ））となり、圧電素子６０１に近接した右側のタッチ点６０２ｂの位置測定値は、横方向における電圧値（例えば、Ｘ１２（Ｖ））と、縦方向における電圧値（例えば、Ｙ１（Ｖ））となる。尚、図６（Ａ）では、左側のタッチ点６０２ａと右側のタッチ点６０２ｂとが横方向に直列しているため、縦方向にける電圧値（Ｙ１（Ｖ））が同等となる。
【００５３】
ここで、タッチパネル２０１内部の抵抗値は、周囲の温度や湿度の高低により変動するため、タッチ点６０２の位置測定値は、その都度、変動することになる。例えば、タッチパネル２０１の設置時又は出荷時に、図６（Ｂ）に示すように、圧電素子６０１の振動により生じるタッチ点６０３の位置と、経時的に時間が経過して、環境変化時に、圧電素子６０１の振動により生じるタッチ点６０３の位置とは、同等の位置であるにもかかわらず、位置の検知に使用する抵抗値が変動することで、異なる位置測定値となるのである。
【００５４】
具体的には、タッチパネル２０１の設置時又は出荷時において、圧電素子６０１に近接した左側のタッチ点６０３ａの位置基準値は、横方向における電圧値（例えば、Ｘ０１（Ｖ））と、縦方向における電圧値（例えば、Ｙ０（Ｖ））となり、圧電素子６０１に近接した右側のタッチ点６０３ｂの位置基準値は、横方向における電圧値（例えば、Ｘ０２（Ｖ））と、縦方向における電圧値（例えば、Ｙ０（Ｖ））となる。
【００５５】
ここで、環境変化により各抵抗値が５００Ωから１ｋΩに変動した場合は、上述のように、圧電素子６０１に近接した左側のタッチ点６０２ａの位置測定値（Ｘ１１（Ｖ）、Ｙ１（Ｖ））と、右側のタッチ点６０２ｂの位置測定値（Ｘ１２（Ｖ）、Ｙ１（Ｖ））とが変動する。この位置基準値と位置測定値との差異が、タッチパネル２０１の位置ズレとなる。
【００５６】
そこで、最初に設定されるタッチ点６０３の位置基準値を所定のメモリーに予め記憶させておき、位置ズレ調整手段４０３が、圧電素子６０１の振動の際に、前記擬似的なタッチ点６０２に対応する位置測定値を測定するとともに（図５：Ｓ１０３）、当該測定した位置測定値（例えば、２．４Ｖ）から前記メモリーの位置基準値（例えば、２．０Ｖ）を除算し、当該除算値（「１．２」）の逆数を補正係数（「０．８３３」）とする。そして、位置ズレ調整手段４０３は、前記位置測定値に前記補正係数を乗算することで、当該位置測定値を当該位置基準値になるように位置ズレを調整する（図５：Ｓ１０４）。これにより、抵抗値が変動したとしても、それに対応して補正係数が設定され、後述で生じるユーザーのタッチ点に対応する今後の位置測定値を、位置基準値（デフォルト値）を基準とした適切な位置測定値として検出することが可能となる。又、ユーザーが操作部１０２に近づいた際に、位置ズレの調整が自動的に行われることで、ユーザーが操作部１０２を使用する際には、ユーザーを待たせること無く、位置ズレの無い操作部１０２を確実に提供することが可能となる。
【００５７】
尚、本発明の実施形態では、位置ズレの調整に補正係数を使用したが、特に限定は無く、公知の位置ズレの調整方法を採用することが出来る。
【００５８】
さて、位置ズレ調整手段４０３が位置ズレの調整を完了すると、その旨を表示受付手段４０４に通知し、当該通知を受けた表示受付手段４０４は、ユーザーがタッチパネル２０１をタッチした場合に、前記補正係数を用いてタッチパネル２０１の位置測定値を補正して、ユーザーのタッチ点の位置を特定することになる。
【００５９】
さて、ユーザーが操作部１０２のタッチパネル２０１をタッチすると、表示受付手段４０４が、ユーザーのタッチを受け付けて、操作部１０２及び複合機１００のスリープ状態から機能提供可能な通常状態へ移行させて、図２に示すように、タッチパネル２０１上に操作画面（初期画面）を表示する。
【００６０】
ユーザーは、前記操作画面を見ながら、所望の設定条件に対応するキー操作をすると、表示受付手段４０４は、前記位置ズレ調整を実行している後であるため、ユーザーのタッチ位置を特定し、それに対応する設定条件を受け付ける（図５：Ｓ１０５）。このように、ユーザーがタッチパネル２０１上でのキー操作をする前に位置ズレ調整をすることで、ユーザーの設定条件を適切に特定し、円滑に設定条件を受け付けることが可能となる。
【００６１】
さて、ユーザーが操作画面を見ながら、スタートキー２０５を押下すると、表示受付手段４０４が、当該スタートキーの押下を受け付けて、その旨を複合機１００の機能提供手段４０５に通知する。当該通知を受けた機能提供手段４０５は、前記受け付けた設定条件に基づいて機能提供を実行する（図５：Ｓ１０６）。これにより、ユーザーは所望の機能を複合機１００にさせることが可能となる。
【００６２】
このように、本発明では、人感センサーを用いて、自装置の近傍に人が存在するか否かを検知する人感検知手段４０１と、前記自装置の近傍に人が存在すると検知された場合に、前記タッチパネルの端部に予め設けられた圧電素子を振動させて、当該振動が伝わるタッチパネルの所定点を擬似的なタッチ点とする振動手段４０２と、前記擬似的なタッチ点に対応する位置測定値を、予め設定された当該タッチ点に対応する位置基準値になるように位置ズレを調整する位置ズレ調整手段４０３とを備えることを特徴とする。
【００６３】
これにより、ユーザーがタッチパネルを使用する際に自動的に位置ズレ調整を行わせることが可能となり、ユーザーの円滑なタッチパネル操作を実現することが可能となる。
【００６４】
尚、本発明の実施形態では、操作部１０２を複合機１００に適用した場合について説明したが、抵抗膜方式のタッチパネルの操作装置であれば、どのような装置でも良く、例えば、前記操作部１０２（操作装置）を備えた各種画像形成装置、各種画像処理装置、各種画像加工装置、各種画像表示装置等に適用しても、同一の作用効果を奏する。
【００６５】
又、本発明の実施形態では、操作部１０２及び複合機１００が各手段を備えるよう構成したが、当該各手段を実現するプログラムを記憶媒体に記憶させ、当該記憶媒体を提供するよう構成しても構わない。当該構成では、前記プログラムを操作部１０２又は複合機１００に読み出させ、当該操作部１０２又は複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００６６】
以上のように、本発明に係る操作装置及び位置ズレ調製方法は、操作部はもちろん、それを備えた複合機、複写機、プリンタ等に有用であり、ユーザーがタッチパネルを使用する際に自動的に位置ズレ調整を行わせることが可能な操作装置及び位置ズレ調製方法として有効である。
【符号の説明】
【００６７】
１００  複合機
１０２  操作部
４０１  人感検知手段
４０２  振動手段
４０３  位置ズレ調整手段
４０４  表示受付手段
４０５  機能提供手段
【図１】
0005934277.tif 000002
【図２】
0005934277.tif 000003
【図３】
0005934277.tif 000004
【図４】
0005934277.tif 000005
【図５】
0005934277.tif 000006
【図６】
0005934277.tif 000007